(57)【特許請求の範囲】
【請求項１】
複数の放送チャネルにおける放送番組を受信する複数の受信装置と、前記受信された放送番組を記録、再生する記録再生装置と、前記放送番組の受信、記録および再生を制御する制御装置と、使用者が放送チャネルの切換指示を入力するための放送チャネル切換入力部材と、を備える番組記録再生システムであって、
前記制御装置は、
前記記録、再生装置に記録される放送番組における内容を判別する放送内容判別手段と、
前記記録された放送番組における内容の区切りに区切信号を付与する区切信号付与手段と、
前記区切信号を参照して、前記記録された放送番組を、その内容の区切りから再生する指示を前記記録、再生装置に対して与える再生指示手段と、を備え、
前記制御装置の再生指示手段は、前記放送チャネル切換入力部材から放送チャネルの切換指示が入力された場合に、切換後の放送チャネルにおいて前記記録、再生装置に記録された放送番組における内容の区切りに付与された区切信号を参照して、当該放送番組を、その内容の区切りから再生する指示を前記記録、再生装置に対して与えることを特徴とする番組記録再生システム。
【請求項２】
複数の放送チャネルにおける放送番組を受信する複数の受信装置と、前記受信された放送番組を記録、再生する記録再生装置と、前記放送番組の受信、記録および再生を制御する制御装置と、放送番組に関して使用者が好みの情報が記憶された好み情報データベースと、を備える番組記録再生システムであって、
前記制御装置は、
前記記録、再生装置に記録される放送番組における内容を判別する放送内容判別手段と、
前記記録された放送番組における内容の区切りに区切信号を付与する区切信号付与手段と、
前記区切信号を参照して、前記記録された放送番組を、その内容の区切りから再生する指示を前記記録、再生装置に対して与える再生指示手段と、を備え、
前記制御装置は、前記好み情報データベースに記憶された情報に基づいて前記記録、再生装置に記録すべき放送番組を設定し、前記複数の受信装置の少なくとも１つの受信装置に対して前記設定された放送番組を受信する指示を与えるとともに、前記記録、再生装置に対して前記設定された放送番組を記録する指示を与える記録指示手段をさらに備えることを特徴とする番組記録再生システム。
【請求項３】
請求項２に記載の番組記録再生システムにおいて、使用者が放送チャネルの切換指示を入力するための放送チャネル切換入力部材をさらに備え、
前記制御装置の再生指示手段は、前記放送チャネル切換入力部材から放送チャネルの切換指示が入力された場合に、切換後の放送チャネルにおいて前記記録、再生装置に放送番組が記録されているときは、当該放送番組における内容の区切りに付与された区切信号を参照して、当該放送番組を、その内容の区切りから再生する指示を前記記録、再生装置に対して与えることを特徴とする番組記録再生システム。
【請求項４】
請求項２または３に記載の番組記録再生システムにおいて、前記制御装置の記録指示手段により設定される放送番組は、裏番組であることを特徴とする番組記録再生システム。
【請求項５】
請求項２乃至４の何れか１項に記載の番組記録再生システムにおいて、前記制御装置は、当該使用者の当該システムにおける操作内容に基づいて前記好み情報データベースに記憶された情報を更新するデータベース更新手段をさらに備えることを特徴とする番組記録再生システム。
【請求項６】
請求項１または３に記載の番組記録再生システムにおいて、使用者が前記放送番組における内容の区切りのうち、少なくとも何れか１つの位置の指定を入力するための区切入力部材をさらに備え、
前記制御装置の再生指示手段は、前記放送番組を、前記区切入力部材から指定された区切り位置から再生する指示を前記記録、再生装置に対して与えることを特徴とする番組記録再生システム。
【請求項７】
請求項１または３に記載の番組記録再生システムにおいて、前記区切信号は、前記放送番組における内容に応じて区別されており、
前記制御装置の再生指示手段は、前記区切信号に基づいて前記放送番組における所定の内容を除外して、前記放送番組を所定の内容の区切りから再生する指示を出力することを特徴とする番組記録再生システム。
【請求項８】
請求項７に記載の番組記録再生システムにおいて、使用者の当該システムの操作履歴が記憶された使用者履歴データベースをさらに備え、
前記制御装置の再生指示手段は、前記使用者履歴データベースに記憶された情報に基づいて前記除外すべき所定の内容を設定することを特徴とする番組記録再生システム。
【請求項９】
請求項７に記載の番組記録再生システムにおいて、使用者が前記除外すべき所定の内容の指定を入力するための除外内容入力部材をさらに備え、
前記制御装置の再生指示手段は、前記除外内容入力部材からの指定に基づいて前記除外すべき所定の内容を設定することを特徴とする番組記録再生システム。
【請求項１０】
請求項１または３に記載の番組記録再生システムにおいて、前記区切信号は、前記放送番組における内容に応じて区別されており、
前記制御装置の再生指示手段は、前記区切信号に基づいて前記放送番組における所定の内容を設定して、当該設定された内容のみ、その区切りから再生する指示を出力することを特徴とする番組記録再生システム。
【請求項１１】
請求項１０に記載の番組記録再生システムにおいて、放送番組に関して使用者が好みの情報が記憶された好み情報データベースをさらに備え、
前記制御装置の再生指示手段は、前記好み情報データベースに記憶された情報に基づいて前記所定の内容を設定することを特徴とする番組記録再生システム。
【請求項１２】
請求項１０に記載の番組記録再生システムにおいて、使用者が前記設定すべき所定の内容の指定を入力するための設定内容入力部材をさらに備え、
前記制御装置の再生指示手段は、前記設定内容入力部材からの指定に基づいて前記所定の内容を設定することを特徴とする番組記録再生システム。
【請求項１３】
複数の放送チャネルにおける放送番組を受信する複数の受信装置と、前記受信された放送番組を記録、再生する記録再生装置と、前記放送番組の受信、記録および再生を制御する制御装置と、を備える番組記録再生システムにおける番組記録再生方法であって、
前記制御装置において、
前記記録、再生装置に記録される放送番組における内容を判別する放送内容判別工程と、
前記記録された放送番組における内容の区切りに区切信号を付与する区切信号付与工程と、
前記区切信号を参照して、前記記録された放送番組を、その内容の区切りから再生する指示を前記記録、再生装置に対して与える再生指示工程と、を備え、
前記再生指示工程は、放送チャネルの切換指示が入力された場合に、切換後の放送チャネルにおいて前記記録、再生装置に記録された放送番組における内容の区切りに付与された区切信号を参照して、当該放送番組を、その内容の区切りから再生する指示を前記記録、再生装置に対して与えることを特徴とする番組記録再生方法。
【請求項１４】
複数の放送チャネルにおける放送番組を受信する複数の受信装置と、前記受信された放送番組を記録、再生する記録再生装置と、前記放送番組の受信、記録および再生を制御する制御装置と、を備える番組記録再生システムにおける番組記録再生方法であって、
前記制御装置において、
前記記録、再生装置に記録される放送番組における内容を判別する放送内容判別工程と、
前記記録された放送番組における内容の区切りに区切信号を付与する区切信号付与工程と、
前記区切信号を参照して、前記記録された放送番組を、その内容の区切りから再生する指示を前記記録、再生装置に対して与える再生指示工程と、を備え、
前記制御装置において、放送番組に関して使用者が好みの情報に基づいて前記記録、再生装置に記録すべき放送番組を設定し、前記複数の受信装置の少なくとも１つの受信装置に対して前記設定された放送番組を受信する指示を与えるとともに、前記記録、再生装置に対して前記設定された放送番組を記録する指示を与える記録指示工程をさらに備えることを特徴とする番組記録再生方法。
【請求項１５】
請求項１４に記載の番組記録再生方法において、
前記再生指示工程は、前記放送チャネル切換入力部材から放送チャネルの切換指示が入力された場合に、切換後の放送チャネルにおいて前記記録、再生装置に放送番組が記録されているときは、当該放送番組における内容の区切りに付与された区切信号を参照して、当該放送番組を、その内容の区切りから再生する指示を前記記録、再生装置に対して与えることを特徴とする番組記録再生方法。
【発明の詳細な説明】
【０００１】
【発明の属する技術分野】
本発明は、ラジオ放送や、テレビ放送の放送番組を受信し、記録再生する番組記録再生システムに係り、特に、記録動作を中断することなく記録済み部分の番組を任意に選択して再生するタイムシフト再生を可能とする番組記録再生システムに関する。
【０００２】
【従来の技術】
放送番組のタイムシフト再生に関する従来技術の一例として、特開平５−３２８２４３号公報には、テレビ番組を一旦すべて記録媒体へ録画しておき、その番組の再生はユーザが別途指定した時間帯に自動的に行うことが記載されている。また、特開２０００−３５０１３０公報には、制御手段自体が、タイムシフト再生を開始する映像の位置などの簡単な制御情報を与えるだけでタイムシフト再生機能を実現することが記載されている。
【０００３】
【発明が解決しようとする課題】
しかしながら、従来のこのような番組記録再生システムにおいては、例えば、現在、視聴している放送番組の放送チャネルを、他の放送チャネルに切り換えて、切換後の放送チャネルの放送番組を視聴する場合、或いは、タイムシフト再生により、一定時間遡った位置から切換後の放送チャネルの放送番組を視聴する場合に、大抵は、当該放送番組が途中から始まることになるので、視聴者にとって、放送チャネル切換後の放送番組の内容を迅速に理解するのが困難である。また、放送番組が音楽番組である場合に、放送チャネル切換後、音楽の途中から始まることは、視聴者（使用者）に不愉快な気分を与えることになる。さらに、従来の番組記録再生システムにおいては、視聴者の好みの内容のみを、迅速に選択してタイムシフト再生することは困難であった。
【０００４】
本発明は、以上の点に鑑みてなされたものであり、使用者に対して高度な利便性を有するタイムシフト再生を提供することが可能な番組記録再生システムおよび番組記録再生方法を提供することを目的とする。
【０００５】
【課題を解決するための手段】
上記の課題を解決するために、請求項１に記載の発明は、複数の放送チャネルにおける放送番組を受信する複数の受信装置と、前記受信された放送番組を記録、再生する記録再生装置と、前記放送番組の受信、記録および再生を制御する制御装置と、使用者が放送チャネルの切換指示を入力するための放送チャネル切換入力部材と、を備える番組記録再生システムであって、前記制御装置は、前記記録、再生装置に記録される放送番組における内容を判別する放送内容判別手段と、前記記録された放送番組における内容の区切りに区切信号を付与する区切信号付与手段と、前記区切信号を参照して、前記記録された放送番組を、その内容の区切りから再生する指示を前記記録、再生装置に対して与える再生指示手段と、を備え、前記制御装置の再生指示手段は、前記放送チャネル切換入力部材から放送チャネルの切換指示が入力された場合に、切換後の放送チャネルにおいて前記記録、再生装置に記録された放送番組における内容の区切りに付与された区切信号を参照して、当該放送番組を、その内容の区切りから再生する指示を前記記録、再生装置に対して与えるように構成する。
【０００６】
請求項１に記載の発明によれば、記録、再生装置に記録される放送番組における内容、例えば、スポーツ、ＣＭ（コマーシャル）、会話、音楽などが判別され、その判別された内容の区切りに区切信号を付与される。そして、その区切信号を参照して、前記記録された放送番組を、その内容の区切りから再生する指示が前記記録、再生装置に対して与えられる。従って、記録された放送番組をタイムシフト再生する場合に、放送番組の内容の区切りから再生することが可能となるので、使用者は、容易に放送番組の内容を理解することができる。よって、使用者に対して高度な利便性を有するタイムシフト再生を提供することができる。さらに、使用者が特定の放送チャネルの放送番組を聴いている場合に、他の放送チャネルに切り換えた時、切換後の放送チャネルにおける放送番組が、その内容の区切りからタイムシフト再生される。従って、放送番組の所定の内容の途中で放送チャネルが切り換えられても、その途中から再生されることなく、区切りから再生されるので、使用者は、容易に放送番組の内容を理解することができる。よって、使用者に対して高度な利便性を有するタイムシフト再生を提供することができる。
【０００７】
請求項２に記載の発明は、複数の放送チャネルにおける放送番組を受信する複数の受信装置と、前記受信された放送番組を記録、再生する記録再生装置と、前記放送番組の受信、記録および再生を制御する制御装置と、放送番組に関して使用者が好みの情報が記憶された好み情報データベースと、を備える番組記録再生システムであって、前記制御装置は、前記記録、再生装置に記録される放送番組における内容を判別する放送内容判別手段と、前記記録された放送番組における内容の区切りに区切信号を付与する区切信号付与手段と、前記区切信号を参照して、前記記録された放送番組を、その内容の区切りから再生する指示を前記記録、再生装置に対して与える再生指示手段と、を備え、前記制御装置は、前記好み情報データベースに記憶された情報に基づいて前記記録、再生装置に記録すべき放送番組を設定し、前記複数の受信装置の少なくとも１つの受信装置に対して前記設定された放送番組を受信する指示を与えるとともに、前記記録、再生装置に対して前記設定された放送番組を記録する指示を与える記録指示手段をさらに備えるように構成する。
【０００８】
請求項２に記載の発明によれば、好み情報データベースに記憶された情報に基づいて、記録、再生装置に記録すべき放送番組が設定されるので、使用者が好む放送番組のみを記録することが可能となり、その結果、不必要な放送番組の記録に記録容量を割くことを防止することができる。
【００１１】
請求項３に記載の発明は、請求項２に記載の番組記録再生システムにおいて、使用者が放送チャネルの切換指示を入力するための放送チャネル切換入力部材をさらに備え、前記制御装置の再生指示手段は、前記放送チャネル切換入力部材から放送チャネルの切換指示が入力された場合に、切換後の放送チャネルにおいて前記記録、再生装置に放送番組が記録されているときは、当該放送番組における内容の区切りに付与された区切信号を参照して、当該放送番組を、その内容の区切りから再生する指示を前記記録、再生装置に対して与えるように構成する。
【００１２】
請求項３に記載の発明によれば、記録、再生装置に記録されている放送番組に対して、請求項１に記載の発明と同様の効果を得ることができる。
【００１３】
請求項４に記載の発明は、請求項２または３に記載の番組記録再生システムにおいて、前記制御装置の記録指示手段により設定される放送番組は、裏番組であるように構成する。ここで、裏番組とは、現在、視聴している放送番組と異なる放送チャネルであって、同じ時間に放送されている番組のことをいう。
【００１４】
請求項５に記載の発明は、請求項２乃至４の何れか１項に記載の番組記録再生システムにおいて、前記制御装置は、当該使用者の当該システムにおける操作内容に基づいて前記好み情報データベースに記憶された情報を更新するデータベース更新手段をさらに備えるように構成する。
【００１５】
請求項５に記載の発明によれば、より正確な使用者の好みが反映された情報を蓄積していくことができる。
請求項６に記載の発明は、請求項１または３に記載の番組記録再生システムにおいて、使用者が前記放送番組における内容の区切りのうち、少なくとも何れか１つの位置の指定を入力するための区切入力部材をさらに備え、前記制御装置の再生指示手段は、前記放送番組を、前記区切入力部材から指定された区切り位置から再生する指示を前記記録、再生装置に対して与えるように構成する。
【００１６】
請求項６に記載の発明によれば、使用者が所望する区切り位置から放送番組を再生することができるので、より一層、利便性を向上させることができる。
【００１７】
請求項７に記載の発明は、請求項１または３に記載の番組記録再生システムにおいて、前記区切信号は、前記放送番組における内容に応じて区別されており、前記制御装置の再生指示手段は、前記区切信号に基づいて前記放送番組における所定の内容を除外して、前記放送番組を所定の内容の区切りから再生する指示を出力するように構成する。
【００１８】
請求項７に記載の発明によれば、使用者が、放送番組において欲しない内容を除外してタイムシフト再生することができるので、欲しない内容を、例えば、早送りする手間を低減することができる。
【００１９】
請求項８に記載の発明は、請求項７に記載の番組記録再生システムにおいて、使用者の当該システムの操作履歴が記憶された使用者履歴データベースをさらに備え、前記制御装置の再生指示手段は、前記使用者履歴データベースに記憶された情報に基づいて前記除外すべき所定の内容を設定するように構成する。
【００２０】
請求項８に記載の発明によれば、使用者が過去に行った操作に基づいて自動的に除外すべき所定の内容を設定することができる。
【００２１】
請求項９に記載の発明は、請求項７に記載の番組記録再生システムにおいて、使用者が前記除外すべき所定の内容の指定を入力するための除外内容入力部材をさらに備え、前記制御装置の再生指示手段は、前記除外内容入力部材からの指定に基づいて前記除外すべき所定の内容を設定するように構成する。
【００２２】
請求項９に記載の発明によれば、使用者が除外すべき所定の内容の指定することができる。
【００２３】
請求項１０に記載の発明は、請求項１または３に記載の番組記録再生システムにおいて、前記区切信号は、前記放送番組における内容に応じて区別されており、前記制御装置の再生指示手段は、前記区切信号に基づいて前記放送番組における所定の内容を設定して、当該設定された内容のみ、その区切りから再生する指示を出力するように構成する。
【００２４】
請求項１０に記載の発明によれば、使用者が、放送番組において好みの内容のみをタイムシフト再生することができるので、使用者が好みの内容を探す手間を低減することができる。
【００２５】
請求項１１に記載の発明は、請求項１０に記載の番組記録再生システムにおいて、放送番組に関して使用者が好みの情報が記憶された好み情報データベースをさらに備え、前記制御装置の再生指示手段は、前記好み情報データベースに記憶された情報に基づいて前記所定の内容を設定するように構成する。
【００２６】
請求項１１に記載の発明によれば、使用者が過去に行った操作に基づいて自動的に再生したい内容を設定することができる。
【００２７】
請求項１２に記載の発明は、請求項１０に記載の番組記録再生システムにおいて、使用者が前記設定すべき所定の内容の指定を入力するための設定内容入力部材をさらに備え、前記制御装置の再生指示手段は、前記設定内容入力部材からの指定に基づいて前記所定の内容を設定するように構成する。
【００２８】
請求項１２に記載の発明によれば、使用者が設定したい所定の内容の指定することができる。
【００２９】
請求項１３に記載の発明は、複数の放送チャネルにおける放送番組を受信する複数の受信装置と、前記受信された放送番組を記録、再生する記録再生装置と、前記放送番組の受信、記録および再生を制御する制御装置と、を備える番組記録再生システムにおける番組記録再生方法であって、前記制御装置において、前記記録、再生装置に記録される放送番組における内容を判別する放送内容判別工程と、前記記録された放送番組における内容の区切りに区切信号を付与する区切信号付与工程と、前記区切信号を参照して、前記記録された放送番組を、その内容の区切りから再生する指示を前記記録、再生装置に対して与える再生指示工程と、を備え、前記再生指示工程は、放送チャネルの切換指示が入力された場合に、切換後の放送チャネルにおいて前記記録、再生装置に記録された放送番組における内容の区切りに付与された区切信号を参照して、当該放送番組を、その内容の区切りから再生する指示を前記記録、再生装置に対して与えるように構成する。
【００３０】
請求項１３に記載の発明によれば、請求項１に記載の発明と同様の効果を得ることができる。
【００３３】
請求項１４に記載の発明は、複数の放送チャネルにおける放送番組を受信する複数の受信装置と、前記受信された放送番組を記録、再生する記録再生装置と、前記放送番組の受信、記録および再生を制御する制御装置と、を備える番組記録再生システムにおける番組記録再生方法であって、前記制御装置において、前記記録、再生装置に記録される放送番組における内容を判別する放送内容判別工程と、前記記録された放送番組における内容の区切りに区切信号を付与する区切信号付与工程と、前記区切信号を参照して、前記記録された放送番組を、その内容の区切りから再生する指示を前記記録、再生装置に対して与える再生指示工程と、を備え、前記制御装置において、放送番組に関して使用者が好みの情報に基づいて前記記録、再生装置に記録すべき放送番組を設定し、前記複数の受信装置の少なくとも１つの受信装置に対して前記設定された放送番組を受信する指示を与えるとともに、前記記録、再生装置に対して前記設定された放送番組を記録する指示を与える記録指示工程をさらに備えるように構成する。
【００３４】
請求項１４に記載の発明によれば、請求項２に記載の発明と同様の効果を得ることができる。
【００３５】
請求項１５に記載の発明は、請求項１４に記載の番組記録再生方法において、前記再生指示工程は、前記放送チャネル切換入力部材から放送チャネルの切換指示が入力された場合に、切換後の放送チャネルにおいて前記記録、再生装置に放送番組が記録されているときは、当該放送番組における内容の区切りに付与された区切信号を参照して、当該放送番組を、その内容の区切りから再生する指示を前記記録、再生装置に対して与えるように構成する。
【００３６】
請求項１５に記載の発明によれば、請求項３に記載の発明と同様の効果を得ることができる。
【００３７】
【発明の実施の形態】
以下、本発明の好適な実施の形態を添付図面に基づいて説明する。以下の説明は、車両オーディオシステムに対して本発明にかかる番組記録再生システムを適用した場合の実施形態である。
【００３８】
先ず、本実施形態にかかる車両オーディオシステムの構成および機能について、図１乃至図６を参照して説明する。
【００３９】
図１は、本実施形態にかかる車両オーディオシステムの概略構成例を示す図である。図１に示すように、車両オーディオシステム１００は、チューナ１および２と、放送番組記録、再生部３と、Ａ（Analog）／Ｄ（Digital）変換部４および５と、ＦＦＴ（Fast Fourier Transform）部６および７と、ＣＤ−ＲＯＭドライブ８と、ソース切換部９と、アンプ１０と、不揮発性メモリ１１と、システムコントロール部１２と、操作部１３と、を含んで構成されている。
【００４０】
チューナ１および２は、それぞれ、本発明の受信装置としての機能を有し、放送局から放送された放送番組を受信する。具体的には、チューナ１および２は、図示しないＲＦ（Radio Frequency）増幅回路、同調器たるフロントエンド、検波器、中間周波増幅回路、ＰＬＬ（Phase-Locked Loop）回路などから構成されている。このようなチューナ１および２の構成において、放送局からの放送番組は、アンテナを介してＲＦ信号としてチューナ１および２に入力される。チューナ１および２に入力されたＲＦ信号は、ＲＦ増幅回路にて増幅され、フロントエンドに供給される。フロントエンドでは、ＰＬＬ回路にて設定された位相ロック周波数に対応する周波数に対して周波数を同調させることによりＲＦ信号から中間周波信号に変換し、これを中間周波増幅回路に供給する。
【００４１】
ここで、ＰＬＬ回路は、図示しない位相比較器、ＬＰＦ（Low Pass Filter）、ＶＣＯ（Voltage-Controlled Oscillator）、分周器などを備え、いわゆる位相同期ループを形成し、システムコントロール部１２からの特定の放送チャネルにおける放送番組の受信指示に基づいて放送番組を受信するための位相ロック周波数を設定する。
【００４２】
中間周波増幅回路に供給された中間周波信号は、そこで増幅され、検波器に供給される。そして、増幅された中間周波信号は、検波器により復調される。このように復調された復調信号（音声信号）は、放送番組記録、再生部３、Ａ／Ｄ変換部４および５、ソース切換部９に供給される。
【００４３】
なお、本実施形態において、放送番組は、ラジオ放送における番組を想定しており、これには、音楽、スポーツ、バラエティ、トーク等の様々な番組が含まれる。
【００４４】
放送番組記録、再生部３は、本発明の記録、再生装置としての機能を有し、チューナ１および２で受信、供給された放送番組（音声信号）を記録する。放送番組記録、再生部３は、例えば、公知のＨＤＤ（Hard Disc）装置などの記録機構および再生機構を備えた大容量記録装置から構成される。この放送番組記録、再生部３には、チューナ１および２から供給された全ての放送番組を記録してもよいが、本実施形態においては、記録容量を考慮し、一部の放送番組を記録するように構成している。この放送番組記録、再生部３に記録すべき放送番組は、システムコントロール部１２により設定されるが、詳細については後述する。
【００４５】
また、放送番組記録、再生部３は、システムコントロール部１２からの再生指示に従い、記録された放送番組を音声信号としてソース切換部９に出力、即ち、記録された放送番組を再生する。これにより、タイムシフト再生が可能となる。
【００４６】
なお、放送番組記録、再生部３への放送番組の記録は記録用のファイルポインタにて、放送番組記録、再生部３からの放送番組の再生は再生用のファイルポインタにて、それぞれシステムコントロール部１２によって制御させる。これにより、記録動作を中断することなく記録済み部分の放送番組を任意に選択して再生することが可能となる。
【００４７】
Ａ／Ｄ変換部４および５は、それぞれ、チューナ１および２から供給された音声信号を所定のサンプリングクロックの周期で、デジタル信号に変換してＦＦＴ部６および７に供給する。
【００４８】
ＦＦＴ部６および７は、それぞれ、Ａ／Ｄ変換部４および５から供給されたデジタル信号を、所定の期間毎、例えば、１秒毎に、高速フーリエ変換して、その出力であるスペクトルデータをシステムコントロール部１２に供給する。
【００４９】
ＣＤ−ＲＯＭドライブ８には、ＣＤ−ＲＯＭが着脱自在に装着される。ＣＤ−ＲＯＭドライブ８は、システムコントロール部１２からの再生指示に従い、ＣＤ−ＲＯＭに記録された音声信号を、ソース切換部９に出力する。
【００５０】
ソース切換部９は、システムコントロール部１２からの切換指示に従い、チューナ１および２から出力された音声信号と、放送番組記録、再生部３から出力された音声信号と、ＣＤ−ＲＯＭドライブ８から出力された音声信号と、の何れかの音声信号を選択して出力する。ソース切換部９から出力された音声信号は、アンプ１０にて増幅され、図示しないスピーカから音声（音楽も含む）として出力される。
【００５１】
不揮発性メモリ１１は、例えば、着脱自在のカード型記録媒体などからなり、これには、本発明の好み情報データベース１１ａおよび使用者履歴データベース１１ｂが論理的に構築されている。好み情報データベース１１ａには、放送番組に関して使用者が好みの情報、例えば、野球、サッカーが好き、音楽は好きなどの情報が記憶されている。また、使用者履歴データベース１１ｂには、使用者の車両オーディオシステム１００の操作履歴、例えば、過去にＣＭを除外（カット）して再生した履歴などが記憶される。
【００５２】
また、不揮発性メモリ１１には、放送予定の番組案内（ガイド）が記憶されている。この番組案内は、使用者が、不揮発性メモリ１１に適宜記憶するようにしてもよいが、車両オーディオシステム１００に通信機能を実装し、インターネットに接続された情報配信サーバから移動体通信網を介して受信し、記憶するように構成してもよい。
【００５３】
システムコントロール部１２は、本発明の制御装置としての機能を有し、放送番組の受信、記録および再生を制御する。図２は、システムコントロール部１２の内部構成例を示す図である。このシステムコントロール部１２は、図２に示すように、ＣＰＵ２１、各種動作制御のためのプログラムおよびデータを記憶するＲＯＭ２２、作業領域として用いられ、ＦＦＴ部６および７からのスペクトルデータなどを一時記憶するＲＡＭ２３、発振回路２４、などを備え、各構成要素は、バス２５により相互に接続される。ＲＯＭ２２に記憶されたプログラムは、ＣＰＵ２１を、本発明の放送内容判別手段としての放送内容判別部２１ａ、区切信号付与手段としての区切信号付与部２１ｂ、記録指示手段としての記録指示部２１ｃ、再生指示手段としての再生指示部２１ｄ、データベース更新手段としてのデータベース更新部２１ｅとしてそれぞれ機能させる。
【００５４】
放送内容判別部２１ａは、ＦＦＴ部６および７から供給されたスペクトルデータに基づき、放送番組記録、再生部３に記録される放送番組における内容を判別する機能を有する。本実施形態において、放送内容判別部２１ａにより判別される放送番組における内容としては、ニュース、会話（トーク）、音楽（曲）、ＣＭの４種類としている。音楽には、ポップス、クラシック、ジャズなど、全てのジャンルの曲が含まれる。また、音楽は、通常の音楽番組の他、ＣＭにおいて放送される。
【００５５】
これらの放送番組における内容を判別する方法として、例えば、信号帯域が幅広い周波数帯域である場合、音楽、或いは、ＣＭであると判別する。一方、信号帯域が狭い周波数帯域（例えば、信号帯域が１ｋＨｚの周波数を中心としている）である場合、ニュース或いは、会話であると判別する。
【００５６】
さらに、音楽とＣＭの判別は、例えば、幅広い周波数帯域の分布が１分以上継続するか否かにより行う。ＣＭの場合、通常、放送される音楽の時間は１分未満であるからである。
【００５７】
さらに、ニュースと会話の判別は、例えば、聞き取りやすいか、聞き取りにくいかにより行う。通常、ニュースでは、アナウンサーが話すため、子音が明瞭で、音の強弱が小さく聞き取りやすい。一方、トーク番組などにおける会話では、子音が不明瞭で、話のテンポが速く、音の強弱が大きく聞き取りにくい傾向にある。
【００５８】
区切信号付与部２１ｂは、放送番組記録、再生部３に記録された放送番組における内容の区切りに区切信号を付与する機能を有する。図３は、放送番組における内容の区切りに区切信号が付与されるときの概念図を示すものである。放送番組における内容の区切りは、図３に示す位置にあり、放送番組における内容が判別されることにより明らかになる。このような放送番組の内容の区切りに、図３に示すように、区切信号が付与されることになる。
【００５９】
この区切信号は、放送番組における内容に応じて区別されている。例えば、図３の例では、ニュースＡに対してその先頭に“Ｎ１”の区切信号が、ＣＭ１に対してその先頭に“Ｃ１”の区切信号が、音楽Ａに対してその先頭に“Ｍ１”の区切信号が、それぞれ付与されている。このように、放送番組における内容に応じて区切信号を区別することにより、それぞれの区切りは、どのような内容に関するものであるかを判別することが可能となる。
【００６０】
記録指示部２１ｃは、放送番組記録、再生部３に記録すべき放送番組を設定し、チューナ１および２の少なくとも１つのチューナに対して、上記設定された放送番組を受信する指示を与えるとともに、放送番組記録、再生部３に対して、上記設定された放送番組を記録する指示を与える機能を有する。ここで、放送番組を記録する指示は、記録用のファイルポインタを使用して行われる。
【００６１】
記録すべき放送番組の設定は、不揮発性メモリ１１内の好み情報データベース１１ａに記憶された放送番組に関して使用者が好みの情報に基づいて行われる。例えば、好み情報データベース１１ａに、使用者が音楽番組を好んで聴いているとの情報（履歴）がある場合には、記録指示部２１ｃは、不揮発性メモリ８に記憶された番組案内を参照して放送予定の音楽番組を、記録すべき放送番組として設定する。これにより、設定された放送番組のみが、放送番組記録、再生部３に記録されることになる。従って、不必要な放送番組の記録に記録容量を割くこと（記録の無駄）を防止することができる。また、車両のバッテリーの過放電を避けることができる。
【００６２】
再生指示部２１ｄは、放送番組記録、再生部３に記録された放送番組の内容の区切りに付与された区切信号を参照して、当該放送番組を、その内容の区切りから再生する指示を放送番組記録、再生部３に対して与える機能を有する。ここで、放送番組を再生する指示は、再生用のファイルポインタを使用して行われる。再生指示部２１ｄは、再生用のファイルポインタを、ある時点から、既に記録済みの放送番組における内容の区切りに移動させ、その位置から再生を開始することができる。
【００６３】
また、再生指示部２１ｄは、操作部１３から放送チャネルの切換指示が入力された場合に、切換後の放送チャネルにおいて、放送番組記録、再生部３に放送番組が記録されているときは、当該放送番組における内容の区切りに付与された区切信号を参照して、当該放送番組を、その内容の区切りから再生する指示を放送番組記録、再生部３およびソース切換部９に対して与える機能を有する。
【００６４】
図４は、放送チャネルの切換指示が入力された場合に、放送番組記録、再生部３に記録されている放送番組が、その内容の区切りからタイムシフト再生されるときの様子の一例を示す図である。図４（Ａ）に示すように、チューナ１では放送チャネル１（ＣＨ１）の放送番組が、チューナ２では放送チャネル２（ＣＨ２）の放送番組が、それぞれ受信されており、チューナ１および２にて受信された放送番組は、それぞれ、放送番組記録、再生部３に記録されている。
【００６５】
また、図４（Ａ）の例は、放送チャネル１（ＣＨ１）が選局、即ち、操作部１３上で放送チャネル１（ＣＨ１）が設定され、ソース切換部９がチューナ１からの音声信号を出力する状態にある。これにより、チューナ１で受信された放送番組（ここでは、野球中継）がアンプ１０を介してスピーカから出力（再生）されることとなる。
【００６６】
このような状態で、操作部１３から放送チャネルの切換指示が入力された場合、ソース切換部９が放送番組記録、再生部３からの音声信号を出力する状態に切り換えられるとともに、図４（Ｂ）に示すように、放送番組記録、再生部３に記録されているチューナ２にて受信された放送番組が、その内容の区切りからタイムシフト再生されることになる。
【００６７】
これにより、裏番組が音楽番組である場合に、その放送チャネルに、音楽の途中で切り換えても、音楽の途中から再生されることなく、音楽の始まりである区切りから再生されることになるので、使用者は気分よく音楽を聴くことができる。また、裏番組がニュースや会話である場合に、その放送チャネルに、ニュースや会話の途中で切り換えても、ニュースや会話の始まりである区切りから再生されることになるので、使用者は、その内容を明確に理解することができる。従って、使用者に対して高度な利便性を有するタイムシフト再生を提供することができる。
【００６８】
なお、図４の例では、放送番組記録、再生部３にチューナ２にて受信された放送番組が記録されている場合を示したが、チューナ２にて受信された放送番組が放送番組記録、再生部３に記録されていない場合には、ソース切換部９がチューナ２からの音声信号を出力する状態に切り換えられることになる。
【００６９】
また、再生指示部２１ｄは、上記放送チャネルが切り換えられる場合において、上記放送番組を、操作部１３から指定された区切り位置から再生する指示を放送番組記録、再生部３に対して与える機能を有する。
【００７０】
例えば、再生指示部２１ｄは、図２において、“Ｎ１”、“Ｃ１”、“Ｍ１”・・・の区切信号で示される区切りのうち、どの区切り位置から再生するかを指示する。
【００７１】
これにより、使用者が所望する区切り位置から放送番組を再生することができるので、より一層、利便性を向上させることができる。なお、操作部１３において区切り位置を指定する方法については後述する。
【００７２】
また、再生指示部２１ｄは、上記放送チャネルが切り換えられる場合において、上記区切信号に基づいて放送番組における所定の内容を除外（カット）して、その放送番組を、所定の内容の区切りから再生する指示を出力する機能を有する。
【００７３】
図５は、放送チャネルの切換指示が入力された場合に、放送番組記録、再生部３に記録されている放送番組における所定の内容が除外されて、その放送番組の所定の内容の区切りからタイムシフト再生されるときの様子の一例を示す図である。
【００７４】
図５（Ａ）に示すように、チューナ１では放送チャネル１（ＣＨ１）の放送番組が、チューナ２では放送チャネル３（ＣＨ３）の放送番組が、それぞれ受信されており、チューナ１および２にて受信された放送番組は、それぞれ、放送番組記録、再生部３に記録されている。
【００７５】
また、図５（Ａ）の例は、図４（Ａ）の例と同様、放送チャネル１（ＣＨ１）が選局されている状態にある。このような状態で、操作部１３から放送チャネルの切換指示が入力された場合、ソース切換部９が放送番組記録、再生部３からの音声信号を出力する状態に切り換えられるとともに、図５（Ｂ）に示すように、放送番組記録、再生部３に記録されているチューナ２にて受信された放送番組におけるＣＭおよび会話が除外され、かつ、音楽Ａの始まりである区切りからタイムシフト再生されることになる。
【００７６】
これにより、使用者は、聴きたくない内容（例えば、音楽番組におけるＣＭや、会話）を除外して、聴きたい内容（例えば、音楽（曲）Ａ、Ｂ、・・・）だけを聴くことができるので、より一層、利便性を向上させることができる。
【００７７】
また、再生指示部２１ｄは、上記除外すべき所定の内容を、操作部１５からの指定に基づいて設定することもできるが、不揮発性メモリ１１内の使用者履歴データベース１１ｂに記憶された情報に基づいて設定することもできる。例えば、過去に使用者が操作部１５を操作してＣＭや会話を除外した頻度が高いとの履歴がある場合には、再生指示部２１ｄは、自動的にＣＭや会話を除外すべき内容として設定する。
【００７８】
さらに、再生指示部２１ｄは、上記放送チャネルが切り換えられる場合において、上記区切信号に基づいて放送番組における所定の内容を設定して、当該設定された内容のみ、その区切りから再生する指示を出力する機能を有する。即ち、上述した放送番組における所定の内容を除外する機能とは逆に、使用者が再生したい（聴きたい）内容、例えば、図５（Ｂ）における音楽Ａ、Ｂのみ、再生することが可能となる。
【００７９】
なお、上述した放送番組における所定の内容を除外する機能と同様、再生指示部２１ｄは、上記所定の内容を、操作部１５からの指定に基づいて設定することもできるし、不揮発性メモリ１１内の好み情報データベースａに記憶された情報に基づいて自動的に設定することもできる。
【００８０】
データベース更新部９１ｅは、使用者の車両オーディオシステム１００における操作内容に基づいて、不揮発性メモリ１１内の好み情報データベース１１ａに記憶された情報を更新する機能を有する。具体的には、操作部１３における各種ボタンの操作内容に基づいて、不揮発性メモリ１１内の好み情報データベース１１ａに記憶された情報を更新する。例えば、使用者が、操作部１３により音楽番組ばかりを選局すれば、好み情報データベース１１ａには、その使用者は、音楽が好みであるとの情報が蓄積される。また、使用者が、音楽番組を最後まで聴かず操作部１３にてスキップばかりしていれば、その使用者は、音楽が好みでないとの情報が蓄積される。これにより、次第に、より正確な使用者の好みが反映された情報を蓄積していくことができる。
【００８１】
操作部１３は、使用者が、車両オーディオシステム１００に対して、所望の指示および指定を入力するための各種ボタンや、使用者に対して特定の情報を提供するための表示パネルが配列されて構成され、例えば、車両オーディオシステム１００の本体部に設けられる。図６は、操作部１５の外観構成例を示す図である。図６に示すように、操作部１３には、放送チャネル選局部３１、ソース切換部３２、区切り位置指定部３３、除外内容指定部３４、設定内容指定部３５などが設けられている。
【００８２】
放送チャネル選局部３１には、現在選局中の放送チャネルを表示する液晶表示器３１ａと、選局ボタン３１ｂと、がそれぞれ設けられている。選局ボタン３１ｂは、本発明の放送チャネル切換入力部材としての機能を有し、かかる選局ボタン３１ｂが使用者により押下（選局ボタン３１ｂの左右の矢印の何れかを押下）されると、システムコントロール部１２により検知され、放送チャネルの切換が行われることになる。液晶表示器３１ａには、選局ボタン３１ｂの押下に対応して、切換後の選局された放送チャネルが表示されることになる。
【００８３】
ソース切換部３２には、現在、ソース切換部９にて選択中のソースを表示する液晶表示器３２ａと、ソース切換ボタン３２ｂと、がそれぞれ設けられている。ソース切換部９は、上述したように、放送チャネルの切換により自動的に切り換えられる（例えば、チューナ１から放送番組記録、再生部３に切り換え）場合があるが、使用者が任意にソース切換ボタン３２ｂで、選択するソースを切り換えることも可能である。
【００８４】
区切り位置指定部３３には、放送番組記録、再生部３における記録容量などを示す液晶表示器３３ａおよび３３ｂと、受信ボタン３３ｃおよび３３ｄと、区切り位置指定ボタン３３ｅおよび３３ｆと、がそれぞれ設けられている。このうち、液晶表示器３３ａ、受信ボタン３３ｃ、区切り位置指定ボタン３３ｅは、チューナ１用として設けられており、液晶表示器３３ｂ、受信ボタン３３ｄ、区切り位置指定ボタン３３ｆは、チューナ２用として設けられている。チューナ１用とチューナ２用とも、機能は同じであるので、チューナ１用を例にとって説明する。
【００８５】
液晶表示器３３ａに表示された複数の長方形マーク３３１は、チューナ１からの放送番組を記録する領域の記録容量を示すものであり、黒色の長方形マーク３３１は使用領域を、白色の長方形マーク３３１は未使用領域を、それぞれ示している。また、各長方形マーク３３１間は、上述した放送番組の内容の区切りに対応している。また、矢印マーク３３２は、再生用のファイルポインタが存在する位置を示している。つまり、矢印マーク３３２が示している位置が、記録された放送番組が再生される位置に対応することになる。
【００８６】
受信ボタン３３ｃは、使用者が、チューナ１にて受信する放送番組の放送チャネルを設定するためのものである。
【００８７】
区切り位置指定ボタン３３ｅは、本発明の区切入力部材としての機能を有し、かかる区切り位置指定ボタン３３ｅが使用者により押下（区切り位置指定ボタン３３ｅの左右の矢印の何れかを押下）されると、システムコントロール部１２により検知され、再生する内容の区切りの位置が設定されることになる。また、区切り位置指定ボタン３３ｅの押下に対応して、液晶表示器３３ａに表示された矢印マーク３３２が左右に移動する。なお、図６の例において、各長方形マーク３３１間の位置に、図２の例で示すような区切信号“Ｎ１”、“Ｃ１”、“Ｍ１”・・・を表示するようにすれば、使用者はより簡単に、再生する内容の区切りの位置を指定することができる。
【００８８】
除外内容指定部３４には、ＣＭボタン３４ａと、会話ボタン３４ｂと、音楽ボタン３４ｃと、ニュースボタン３４ｄと、がそれぞれ設けられている。除外内容指定部３４は、本発明の除外内容入力部材としての機能を有し、かかる除外内容指定部３４における各種ボタンが押下されると、システムコントロール部１２により検知され、上述した放送番組における除外すべき所定の内容が設定される。例えば、ＣＭボタン３４ａおよび会話ボタン３４ｂが押下されると、除外すべき所定の内容がＣＭおよび会話に設定されることになる。
【００８９】
設定内容指定部３５には、ＣＭボタン３５ａと、会話ボタン３５ｂと、音楽ボタン３５ｃと、ニュースボタン３５ｄと、がそれぞれ設けられている。設定内容指定部３５は、本発明の設定内容入力部材としての機能を有し、かかる設定内容指定部３５における各種ボタンが押下されると、システムコントロール部１２により検知され、上述した放送番組において再生したい所定の内容が設定される。例えば、音楽ボタン３５ｃが押下されると、再生したい所定の内容が音楽に設定されることになる。
【００９０】
なお、除外内容指定部３４と設定内容指定部３５とは、互いにインターロックがかかるように構成されており、例えば、除外内容指定部３４でＣＭボタン３４ａが押下されていた場合、設定内容指定部３５でＣＭボタン３５ａが押下されても矛盾した設定ができないようになっている。
【００９１】
さらに、操作部１３には、再生ボタン３６、スキップボタン３７、一時停止ボタン３８、ピッチボタン３９、スピードボタン４０、記録ボタン４１、ボリューム４２が設けられている。再生ボタン３６は、使用者が任意に放送番組記録、再生部３に記録された放送番組を再生するためのものである。スキップボタン３７は、記録された放送番組を再生中に、後送りまたは、早送りを行うためのものである。ピッチボタン３９は、記録された放送番組を再生中に、例えば、話のピッチを速くしたり、遅くしたりするためのものである。スピードボタン４０は、記録された放送番組を再生中に、早聞き、遅聞きを行うためのものである。記録ボタン４１は、現在選局中の放送チャネルにおける放送番組が放送番組記録、再生部３に記録されていない場合（例えば、上述した記録指示部２１ｃにより、記録すべき放送番組として設定されていない場合）に、使用者が任意に現在選局中の放送チャネルにおける放送番組を放送番組記録、再生部３に記録するためのものである。
【００９２】
なお、運転者が再生ボタン３６を押下して、放送番組記録、再生部３から放送番組を再生する場合にも、上述した放送番組の内容の区切りから再生することができるのはいうまでもない。また、この場合、上述したのと同様、除外内容指定部３４、設定内容指定部３５における設定や、好み情報データベース１１ａ、使用者履歴データベース１１ｂに基づく設定に従い、放送番組記録、再生部３から放送番組を再生する。
【００９３】
次に、車両オーディオシステム１００の動作について、図７および図８を参照して説明する。図７は、システムコントロール部１２の本発明に係わる部分のＣＰＵ２１における処理を示すフローチャートである。図８は、図７におけるステップＳ４の放送内容判別処理を示すフローチャートである。
【００９４】
図７に示す処理のプログラムは、例えば、ＲＯＭ２２に記憶されており、車両のエンジンスタートによる電源投入に応じて、ＣＰＵ２１により読み出されて実行される。なお、以下の説明では、電源投入の際、チューナ１にて、放送チャネル（ＣＨ１）の放送番組が受信され、ソース切換部９およびアンプ１０を介してスピーカから出力されているものとし、チューナ２で受信される放送番組は裏番組とする。
【００９５】
図７において、先ず、ＣＰＵ２１（記録指示部２１ｃ）は、記録すべき放送番組が既に設定されているか否かを判別する（ステップＳ１）。例えば、電源投入時に、不揮発性メモリ１１を参照して、電源投入前に記録すべき放送番組が設定されているかを判別する。記録すべき放送番組が既に設定されていないと判別した場合、ＣＰＵ２１（記録指示部２１ｃ）は、上述した通り、不揮発性メモリ１１内の好み情報データベースａに記憶された情報に基づいて、記録すべき放送番組および放送チャネルを設定する（ステップＳ２）。これにより、例えば、放送チャネル２（ＣＨ２）の現在放送中の放送番組が設定されるとする。
【００９６】
次に、ＣＰＵ２１（記録指示部２１ｃ）は、設定された放送番組を受信する受信指示をチューナ２に対して出力するとともに、放送番組記録、再生部３に対してチューナ２にて受信された放送番組を記録する記録指示を出力する（ステップＳ３）。これにより、チューナ２にて受信された放送番組が放送番組記録、再生部３に記録されていくことになる。なお、この時、チューナ１にて受信された放送番組を記録する指示を放送番組記録、再生部３に対して与えてもよい。
【００９７】
次に、図８に示す放送内容判別処理（ステップＳ４）が行われる。放送内容判別処理では、図８に示すように、ＣＰＵ２１（放送内容判別部２１ａ）が、ＦＦＴ部７から供給されたスペクトルデータを解析（チューナ１にて受信された放送番組が記録されている場合は、ＦＦＴ部６から供給された一定期間のスペクトルデータも解析する）する（ステップＳ４１）。
【００９８】
そして、かかるスペクトルデータに基づき、ＣＰＵ２１（放送内容判別部２１ａ）は、放送番組の信号帯域が、所定範囲以上の幅広い周波数帯域であるか否かを判別する。放送番組の信号帯域が幅広い周波数帯域でないと判別した場合、例えば、信号帯域が１ｋＨｚの周波数を中心としている場合、ＣＰＵ２１（放送内容判別部２１ａ）は、放送番組の内容が聞き取りやすいか否かを判別する（ステップＳ４３）。放送番組の内容が聞き取りやすいか否かは、例えば、予め聞き取りやすい（子音が明瞭、音の強弱が小さい、話のテンポがゆっくりしているなど）信号のスペクトルデータを基準として用意しておき、その基準との差異が所定範囲内にあるか否かによって行う。
【００９９】
放送番組の内容が聞き取りやすいと判別した場合、ＣＰＵ２１（放送内容判別部２１ａ）は、その内容がニュースであると判定する（ステップＳ４４）。一方、放送番組の内容が聞き取りやすくないと判別した場合、ＣＰＵ２１（放送内容判別部２１ａ）は、その内容が会話であると判定する（ステップＳ４５）。
【０１００】
一方、ステップＳ４２において、放送番組の信号帯域が幅広い周波数帯域である場合、ＣＰＵ２１（放送内容判別部２１ａ）は、幅広い周波数帯域が１分以上継続するか否かを判別する（ステップＳ４６）。幅広い周波数帯域が１分以上継続すると判別した場合、ＣＰＵ２１（放送内容判別部２１ａ）は、放送番組の内容が音楽であると判定する（ステップＳ４７）。幅広い周波数帯域が１分以上継続しないと判別した場合、ＣＰＵ２１（放送内容判別部２１ａ）は、放送番組の内容がＣＭであると判定する（ステップＳ４８）。
【０１０１】
次に、図７の処理に戻り、ステップＳ５では、ＣＰＵ２１（区切信号付与部２１ｂ）は、上記判別結果に基づき、例えば、図３に示すように、記録された放送番組における内容の区切りに区切信号を付与する。
【０１０２】
次に、ＣＰＵ２１（再生指示部２１ｄ）は、ソース切換部９においてＣＤ−ＲＯＭドライブからの出力が選択されているか否か判別し（ステップＳ６）、ＣＤ−ＲＯＭドライブ８らの出力が選択されていると判別した場合には、ＣＤ−ＲＯＭドライブ８に対し、ＣＤ−ＲＯＭに記録された音声信号を再生する指示を出力する（ステップＳ７）。
【０１０３】
一方、ＣＤ−ＲＯＭドライブ８らの出力が選択されていないと判別した場合、ＣＰＵ２１（再生指示部２１ｄ）は、操作部１３から放送チャネルの切換指示が入力されたか否か、即ち、選局ボタン３１ｂが使用者により押下されたか否かを判別する（ステップＳ８）。放送チャネルの切換指示が入力されたと判別した場合、ＣＰＵ２１（再生指示部２１ｄ）は、切換後の放送チャネルにおいて、放送番組が記録されているか否かを判別する（ステップＳ９）。一方、放送チャネルの切換指示が入力されていないと判別した場合、ＣＰＵ２１（再生指示部２１ｄ）は、現状の再生状態を維持することになる。
【０１０４】
ステップＳ９において、切換後の放送チャネルにおいて、放送番組が記録されていると判別した場合、ＣＰＵ２１（再生指示部２１ｄ）は、図４（Ｂ）を用いて上述したように、その放送番組の内容の区切りに付与された区切信号を参照して、その放送番組を、その内容の区切りから再生する再生指示を放送番組記録、再生部３に対して出力するとともに、ソース切換部９に対して放送番組記録、再生部３からの出力を選択する切換指示を出力する（ステップＳ１０）。これにより、記録された放送番組が、放送番組記録、再生部３からソース切換部９等を介して、タイムシフト再生されることになる。例えば、選局ボタン３１ｂが押下され、放送チャネル１（ＣＨ１）から放送チャネル２（ＣＨ２）に切換られた場合は、放送番組記録、再生部３に放送チャネル２（ＣＨ２）の放送番組が記録されている（上記ステップＳ２、３参照）ので、チューナ２にて受信され、記録された放送チャネル２（ＣＨ２）の放送番組が、放送番組記録、再生部３からソース切換部９等を介して、タイムシフト再生される。
【０１０５】
なお、どの部分の区切り位置から再生するかや、所定の内容を除外して再生するかなどは、上述した操作部１３における設定に基づくこととなる。また、上記ステップＳ８にて放送チャネルが切り換えられる場合において、切換前に再生される放送番組をフェードアウトし、切換後に再生される放送番組をフェードイン（放送番組の内容の区切りからフェードイン）するように構成してもよい。
【０１０６】
一方、ステップＳ９において、切換後の放送チャネルにおいて放送番組が記録されていないと判別した場合、例えば、ステップＳ２において設定された放送チャネル２（ＣＨ２）の放送番組が、２時間後の放送番組である場合に、選局ボタン３１ｂにて放送チャネル１（ＣＨ１）から放送チャネル２（ＣＨ２）に切換られたとき、ＣＰＵ２１（再生指示部２１ｄ）は、切換後の放送チャネル２（ＣＨ２）において、チューナ２にて受信された放送番組を再生する指示を、ソース切換部９に対して出力する（ステップＳ１１）。
【０１０７】
これにより、ソース切換部９は、チューナ２からの出力を選択するように切り換え、その結果、現在放送中のチューナ２にて受信された放送番組がソース切換部９等を介して出力されることになる。また、例えば、選局ボタン３１ｂにて放送チャネル１（ＣＨ１）から放送チャネル５（ＣＨ５）に切換られたとき、再生指示部２１ｄは、放送チャネル５（ＣＨ５）の放送番組を受信すべく、例えば、チューナ１に対して受信指示を出力することになる。
【０１０８】
以上のステップＳ４からステップＳ１２までの処理は電源オフ（ステップＳ１２）になるまで繰り返される。
【０１０９】
以上説明したように本実施形態によれば、放送番組の所定の内容の途中で放送チャネルが切り換えられても、その途中から再生されることなく、区切りから再生されるので、使用者は、容易に放送番組の内容を理解することができる。特に、放送チャネル切換後の放送番組の内容が、音楽またはニュースである場合には、使用者は気分よくその音楽を始まりから聴くことができ、また、ニュースを区切りのよい所から聴くことができる。よって、使用者に対して高度な利便性を有するタイムシフト再生を提供することができる。
【０１１０】
また、切換後の放送チャネルの放送番組における、ＣＭや会話等の所定の内容を自動的に除外して、タイムシフト再生することができるので、使用者が、欲しない内容を、例えば、早送りする手間を低減することができる。
【０１１１】
さらに、切換後の放送チャネルの放送番組における、音楽等の好みの内容のみをタイムシフト再生することができるので、使用者が好みの内容を探す手間を低減することができる。
【０１１２】
なお、上記実施形態においては、記録すべき放送番組を、好み情報データベース１１ａに記憶された情報に基づいて設定したが、チューナにて受信された放送番組を全て、放送番組記録、再生部３に記録するように構成してもよい。
【０１１３】
また、上記実施形態においては、受信装置としてのチューナ１および２の計２台設けた例について説明したが、これに限定されるものではなく、３台以上のチューナを設ける場合も本発明の範囲に含まれる。
【０１１４】
また、上記実施形態においては、ラジオ放送における放送番組（音声信号）を受信するように構成したが、テレビ放送における放送番組（音声信号および映像信号）を受信するように構成してもよく、このように構成しても、上記実施形態と同様の効果を得られ、本発明の範囲に含まれる。
【０１１５】
また、上記実施形態において、好み情報データベース１１ａを、複数の運転者毎に区別して設けるように構成してもよい。この場合、例えば、操作部１３に運転者を区別するための操作ボタンを複数設け、複数の操作ボタンのうち、どの操作ボタンが押されたかにより、特定の運転者を認識し、認識された運転者対応する好み情報データベース１１ａを用いて、記録指示部２１ｃおよび再生指示部２１ｄにおける処理を行うように構成してもよい。
【０１１６】
また、上記実施形態においては、本発明の番組記録再生システムとして、車両オーディオシステムを例にとって説明したが、これに限定されるものではなく、その他の電子機器に対して適用可能である。
【０１１７】
【発明の効果】
以上説明したように、本発明によれば、記録、再生装置に記録される放送番組における内容を判別し、その判別された内容の区切りに区切信号を付与して、その区切信号を参照して、記録された放送番組を、その内容の区切りから再生するように構成したので、記録された放送番組をタイムシフト再生する場合に、放送番組の内容の区切りから再生することが可能となり、使用者は、容易に放送番組の内容を理解することができる。従って、記録された放送番組をタイムシフト再生する場合に、放送番組の内容の区切りから再生することが可能となるので、使用者は、容易に放送番組の内容を理解することができる。
【０１１８】
また、使用者が特定の放送チャネルの放送番組を聴いている場合に、他の放送チャネルに切り換えた時、切換後の放送チャネルにおける放送番組が、その内容の区切りからタイムシフト再生されるように構成したので、放送番組の所定の内容の途中で放送チャネルが切り換えられても、その途中から再生されることなく、区切りから再生され、使用者は、容易に放送番組の内容を理解することができる。よって、使用者に対して高度な利便性を有するタイムシフト再生を提供することができる。
【０１１９】
さらに、切換後の放送チャネルの放送番組における、ＣＭや会話等の所定の内容を自動的に除外して、タイムシフト再生することができるので、使用者が、欲しない内容を、例えば、早送りする手間を低減することができる。また、切換後の放送チャネルの放送番組における、音楽等の好みの内容のみをタイムシフト再生することができるので、使用者が好みの内容を探す手間を低減することができる。
【図面の簡単な説明】
【図１】本実施形態にかかる車両オーディオシステムの概略構成例を示す図である。
【図２】システムコントロール部１２の内部構成例を示す図である。
【図３】放送番組における内容の区切りに区切信号が付与されるときの概念図を示す図である。
【図４】放送チャネルの切換指示が入力された場合に、放送番組記録、再生部３に記録されている放送番組が、その内容の区切りからタイムシフト再生されるときの様子の一例を示す図である。
【図５】放送チャネルの切換指示が入力された場合に、放送番組記録、再生部３に記録されている放送番組における所定の内容が除外されて、その放送番組の所定の内容の区切りからタイムシフト再生されるときの様子の一例を示す図である。
【図６】操作部１５の外観構成例を示す図である。
【図７】システムコントロール部１２の本発明に係わる部分のＣＰＵ２１における処理を示すフローチャートである。
【図８】図７におけるステップＳ４の放送内容判別処理を示すフローチャートである。
【符号の説明】
１、２  チューナ
３  放送番組記録、再生部
４、５  Ａ／Ｄ変換部
６、７  ＦＦＴ部
８  ＣＤ−ＲＯＭドライブ
９  ソース切換部
１０  アンプ
１１  不揮発性メモリ
１１ａ  好み情報データベース
１１ｂ  使用者履歴データベース
１２  システムコントロール部
１３  操作部
２１  ＣＰＵ
２１ａ  放送内容判別部
２１ｂ  区切信号付与部
２１ｃ  記録指示部
２１ｄ  再生指示部
２１ｅ  データベース更新部
２２  ＲＯＭ
２３  ＲＡＭ
２４  発振回路
２５  バス
３１  放送チャネル選局部
３２  ソース切換部
３３  区切り位置指定部
３４  除外内容指定部
３５  設定内容指定部
１００  車両オーディオシステム
【図１】
0004491175.tif 000002
【図２】
0004491175.tif 000003
【図３】
0004491175.tif 000004
【図４】
0004491175.tif 000005
【図５】
0004491175.tif 000006
【図６】
0004491175.tif 000007
【図７】
0004491175.tif 000008
【図８】
0004491175.tif 000009